(57)【要約】【課題】静止画データを動画データに変換する最のアスペクト比決定を自動的に行い効率的なデータ変換および記録処理を実行する構成を提供する。【解決手段】例えばＤＶＤプレーヤにおいて再生可能な動画データの作成のために、データ変換によって静止画から動画データの作成処理を実行する場合、変換データのアスペクト比を、変換データを記録予定の記録メディアに記録済みの動画像データファイルあるいは静止画データファイルのアスペクト比情報に基づいて自動的に決定する構成とした。本構成により、ユーザによる設定情報の入力などが不要となり、効率的なデータ変換が実現される。【選択図】図６
2007110223.tif 000002
【特許請求の範囲】
【請求項１】
画像処理装置であり、
静止画像データを動画像データに変換する信号処理部と、
前記信号処理部におけるデータ変換処理に際して生成する動画像データのアスペクト比の決定処理を実行する制御部とを有し、
前記制御部は、
前記データ変換処理によって生成される動画像データが記録される記録メディアに記録済みの画像データファイルのアスペクト比情報に基づいて、前記信号処理部において生成する動画像データのアスペクト比の決定処理を実行する構成であることを特徴とする画像処理装置。
【請求項２】
前記制御部は、
前記記録メディアに記録済みの動画像データファイルのアスペクト比情報に基づいて、前記信号処理部において生成する動画像データのアスペクト比の決定処理を実行する構成であることを特徴とする請求項１に記載の画像処理装置。
【請求項３】
前記制御部は、
前記記録メディアに記録済みの静止画像データファイルのアスペクト比情報に基づいて、前記信号処理部において生成する動画像データのアスペクト比の決定処理を実行する構成であることを特徴とする請求項１に記載の画像処理装置。
【請求項４】
前記制御部は、
前記動画像データファイルまたは静止画像データファイルのアスペクト比がすべて同一のアスペクト比である場合、該アスペクト比を前記信号処理部において生成する動画像データのアスペクト比として決定する処理を実行する構成であることを特徴とする請求項２または３に記載の画像処理装置。
【請求項５】
前記制御部は、
前記動画像データファイルまたは静止画像データファイルのアスペクト比について異なるアスペクト比が混在する場合、予め定めたアスペクト比を前記信号処理部において生成する動画像データのアスペクト比として決定する処理を実行する構成であることを特徴とする請求項２または３に記載の画像処理装置。
【請求項６】
前記制御部は、
前記動画像データファイルまたは静止画像データファイルのアスペクト比について異なるアスペクト比が混在する場合、ファイル数の多いアスペクト比を前記信号処理部において生成する動画像データのアスペクト比として決定する処理を実行する構成であることを特徴とする請求項２または３に記載の画像処理装置。
【請求項７】
前記信号処理部は、
データ変換対象の静止画のアスペクト比と、生成する動画像データのアスペクト比とが異なる場合、静止画の外周部にアスペクト比調整用のデータ領域を設定してアスペクト比変換を行なう構成であることを特徴とする請求項１に記載の画像処理装置。
【請求項８】
前記信号処理部は、
前記データ変換処理によってＭＰＥＧ形式の動画像データを生成する処理を実行する構成であることを特徴とする請求項１に記載の画像処理装置。
【請求項９】
撮像装置であり、
動画像および静止画像を撮影し、記録メディアに記録する処理を実行する記録処理部と、
静止画像データを動画像データに変換する信号処理部と、
前記信号処理部におけるデータ変換処理に際して生成する動画像データのアスペクト比の決定処理を実行する制御部とを有し、
前記制御部は、
前記データ変換処理によって生成される動画像データが記録される記録メディアに記録済みの画像データファイルのアスペクト比情報に基づいて、前記信号処理部において生成する動画像データのアスペクト比の決定処理を実行する構成であることを特徴とする撮像装置。
【請求項１０】
画像処理方法であり、
信号処理部におけるデータ変換処理に際して生成する動画像データのアスペクト比を制御部において決定するアスペクト比決定ステップと、
前記制御部において決定したアスペクト比に基づく静止画像データの動画像データへの変換処理を信号処理部において実行する信号処理ステップとを有し、
前記アスペクト比決定ステップは、
前記データ変換処理によって生成される動画像データが記録される記録メディアに記録済みの画像データファイルのアスペクト比情報に基づいて、前記信号処理部において生成する動画像データのアスペクト比の決定処理を実行するステップであることを特徴とする画像処理方法。
【請求項１１】
前記アスペクト比決定ステップは、
前記記録メディアに記録済みの動画像データファイルのアスペクト比情報に基づいて、前記信号処理部において生成する動画像データのアスペクト比の決定処理を実行することを特徴とする請求項１０に記載の画像処理方法。
【請求項１２】
前記アスペクト比決定ステップは、
前記記録メディアに記録済みの静止画像データファイルのアスペクト比情報に基づいて、前記信号処理部において生成する動画像データのアスペクト比の決定処理を実行する構成であることを特徴とする請求項１０に記載の画像処理方法。
【請求項１３】
前記アスペクト比決定ステップは、
前記動画像データファイルまたは静止画像データファイルのアスペクト比がすべて同一のアスペクト比である場合、該アスペクト比を前記信号処理部において生成する動画像データのアスペクト比として決定する処理を実行する構成であることを特徴とする請求項１１または１２に記載の画像処理方法。
【請求項１４】
前記アスペクト比決定ステップは、
前記動画像データファイルまたは静止画像データファイルのアスペクト比について異なるアスペクト比が混在する場合、予め定めたアスペクト比を前記信号処理部において生成する動画像データのアスペクト比として決定する処理を実行する構成であることを特徴とする請求項１１または１２に記載の画像処理方法。
【請求項１５】
前記アスペクト比決定ステップは、
前記動画像データファイルまたは静止画像データファイルのアスペクト比について異なるアスペクト比が混在する場合、ファイル数の多いアスペクト比を前記信号処理部において生成する動画像データのアスペクト比として決定する処理を実行する構成であることを特徴とする請求項１１または１２に記載の画像処理方法。
【請求項１６】
前記信号処理ステップは、
データ変換対象の静止画のアスペクト比と、生成する動画像データのアスペクト比とが異なる場合、静止画の外周部にアスペクト比調整用のデータ領域を設定してアスペクト比変換を行なうことを特徴とする請求項１０に記載の画像処理方法。
【請求項１７】
前記信号処理ステップは、
前記データ変換処理によってＭＰＥＧ形式の動画像データを生成する処理を実行することを特徴とする請求項１０に記載の画像処理方法。
【請求項１８】
画像処理装置において画像処理を実行させるコンピュータ・プログラムであり、
信号処理部におけるデータ変換処理に際して生成する動画像データのアスペクト比を制御部において決定するアスペクト比決定ステップと、
前記制御部において決定したアスペクト比に基づく静止画像データの動画像データへの変換処理を信号処理部において実行する信号処理ステップと、
を記録し、
前記アスペクト比決定ステップは、
前記データ変換処理によって生成される動画像データが記録される記録メディアに記録済みの画像データファイルのアスペクト比情報に基づいて、前記信号処理部において生成する動画像データのアスペクト比の決定処理を実行するステップとして記録されていることを特徴とするコンピュータ・プログラム。
【発明の詳細な説明】
【技術分野】
【０００１】
本発明は、画像処理装置、撮像装置、および画像処理方法、並びにコンピュータ・プログラムに関する。さらに詳細には、例えば動画と静止画の双方を記録可能なビデオカメラなどによって撮影された静止画を、スライドショー形式で再生可能なデータファイルとして記録する処理を実行する画像処理装置、撮像装置、および画像処理方法、並びにコンピュータ・プログラムに関する。
【背景技術】
【０００２】
デジタルビデオカメラは、動画の撮影を行い、撮影されたデータを、例えばＤＶＤやハードディスクあるいはフラッシュメモリなどの記録メディアに格納する。近年、動画のみならず、静止画の記録を可能としたデジタルビデオカメラも開発されている。
【０００３】
例えば、動画と静止画の双方を記録可能な構成を有し、撮影データをＤＶＤに記録するビデオカメラにおいては、撮影データを記録したＤＶＤの再生をＤＶＤプレーヤで行うことになる。しかし、現行の多くのＤＶＤプレーヤは、動画再生のみが可能であり、ＪＰＥＧ形式の静止画データファイルを読み取って再生する機能を持たない。
【０００４】
このような静止画再生機能を持たないプレーヤにおいて、カメラで撮影された静止画の再生を可能とするための方式として、ＤＶＤに静止画を記録する際、ＪＰＥＧ形式の静止画データとして記録するのではなく、ＪＰＥＧ静止画データを動画データ、例えばＭＰＥＧ形式の動画データに変換して記録する方式があり、このようなデータ変換記録方式を採用したビデオカメラがある。例えば、撮影した静止画をＤＶＤプレーヤで再生可能なスライドショー形式のＭＰＥＧ動画データに変換して記録するものである。
【０００５】
一方、一般的に、昨今のデジタルビデオカメラは、動画の撮影を行なう際、撮影モードの設定によって撮影画像データのアスペクト比を１６：９、あるいは４：３のいずれかに設定することが可能な構成となっている。しかし、動画と静止画の双方が撮影可能なデジタルビデオカメラにおいて撮影される静止画データのアスペクト比は４：３であることが多いため、静止画データを動画データに変換して記録する機能を持つ従来のビデオカメラでは、静止画データを動画データに変換してＤＶＤなどのメディアに記録する場合に設定するアスペクト比は４：３固定とすることが多かった。
【０００６】
一方、近年、ハイビジョンＴＶの普及により、ディスプレイのアスペクト比も４：３から１６：９へ移行しつつある。ＤＶＤプレーヤによる再生を行なう場合、静止画データについても１６：９のアスペクト比のＴＶで見る機会が増えてきている。この推移に伴い、デジタルカメラにおいても、アスペクト比を１６：９とした静止画を記録可能とした機器が出現している。
【０００７】
このような、デジタルビデオカメラでは、４：３のアスペクト比で撮影された静止画と、１６：９のアスペクト比で撮影された静止画が混在する結果となる。カメラで撮影された静止画が、１６：９アスペクト比の静止画データである場合、動画データに変換してメディアに記録する場合、４：３ではなく１６：９のアスペクト比を持つ動画データとして記録することが望ましい。
【０００８】
変換後の動画データのアスペクト比をユーザが選択可能にすることもできるが、適切なアスペクト比を選択するためには、ユーザがメディア上に記録済みのデータのアスペクト比を一つずつ確認して、変換後の動画データのアスペクト比を決定する必要がある。この作業は記録済みのデータが非常に多い場合には大きな労力を必要とする。
【発明の開示】
【発明が解決しようとする課題】
【０００９】
本発明は、上述の問題点に鑑みてなされたものであり、静止画を、例えばスライドショー形式で再生可能な動画データファイルとして記録する画像処理装置において、記録データの状況に応じて、静止画を動画データとして記録する際の最適なアスペクト比を自動決定して記録メディアに記録することを可能とした画像処理装置撮像装置、および画像処理方法、並びにコンピュータ・プログラムを提供することを目的とする。
【課題を解決するための手段】
【００１０】
本発明の第１の側面は、
画像処理装置であり、
静止画像データを動画像データに変換する信号処理部と、
前記信号処理部におけるデータ変換処理に際して生成する動画像データのアスペクト比の決定処理を実行する制御部とを有し、
前記制御部は、
前記データ変換処理によって生成される動画像データが記録される記録メディアに記録済みの画像データファイルのアスペクト比情報に基づいて、前記信号処理部において生成する動画像データのアスペクト比の決定処理を実行する構成であることを特徴とする画像処理装置にある。
【００１１】
さらに、本発明の画像処理装置の一実施態様において、前記制御部は、前記記録メディアに記録済みの動画像データファイルのアスペクト比情報に基づいて、前記信号処理部において生成する動画像データのアスペクト比の決定処理を実行する構成であることを特徴とする。
【００１２】
さらに、本発明の画像処理装置の一実施態様において、前記制御部は、前記制御部は、前記記録メディアに記録済みの静止画像データファイルのアスペクト比情報に基づいて、前記信号処理部において生成する動画像データのアスペクト比の決定処理を実行する構成であることを特徴とする。
【００１３】
さらに、本発明の画像処理装置の一実施態様において、前記制御部は、前記制御部は、前記動画像データファイルまたは静止画像データファイルのアスペクト比がすべて同一のアスペクト比である場合、該アスペクト比を前記信号処理部において生成する動画像データのアスペクト比として決定する処理を実行する構成であることを特徴とする。
【００１４】
さらに、本発明の画像処理装置の一実施態様において、前記制御部は、前記制御部は、前記動画像データファイルまたは静止画像データファイルのアスペクト比について異なるアスペクト比が混在する場合、予め定めたアスペクト比を前記信号処理部において生成する動画像データのアスペクト比として決定する処理を実行する構成であることを特徴とする。
【００１５】
さらに、本発明の画像処理装置の一実施態様において、前記制御部は、前記制御部は、前記動画像データファイルまたは静止画像データファイルのアスペクト比について異なるアスペクト比が混在する場合、ファイル数の多いアスペクト比を前記信号処理部において生成する動画像データのアスペクト比として決定する処理を実行する構成であることを特徴とする。
【００１６】
さらに、本発明の画像処理装置の一実施態様において、データ変換対象の静止画のアスペクト比と、生成する動画像データのアスペクト比とが異なる場合、静止画の外周部にアスペクト比調整用のデータ領域を設定してアスペクト比変換を行なう構成であることを特徴とする。
【００１７】
さらに、本発明の画像処理装置の一実施態様において、前記信号処理部は、前記データ変換処理によってＭＰＥＧ形式の動画像データを生成する処理を実行する構成であることを特徴とする。
【００１８】
さらに、本発明の第２の側面は、
撮像装置であり、
動画像および静止画像を撮影し、記録メディアに記録する処理を実行する記録処理部と、
静止画像データを動画像データに変換する信号処理部と、
前記信号処理部におけるデータ変換処理に際して生成する動画像データのアスペクト比の決定処理を実行する制御部とを有し、
前記制御部は、
前記データ変換処理によって生成される動画像データが記録される記録メディアに記録済みの画像データファイルのアスペクト比情報に基づいて、前記信号処理部において生成する動画像データのアスペクト比の決定処理を実行する構成であることを特徴とする撮像装置にある。
【００１９】
さらに、本発明の第３の側面は、
画像処理方法であり、
信号処理部におけるデータ変換処理に際して生成する動画像データのアスペクト比を制御部において決定するアスペクト比決定ステップと、
前記制御部において決定したアスペクト比に基づく静止画像データの動画像データへの変換処理を信号処理部において実行する信号処理ステップとを有し、
前記アスペクト比決定ステップは、
前記データ変換処理によって生成される動画像データが記録される記録メディアに記録済みの画像データファイルのアスペクト比情報に基づいて、前記信号処理部において生成する動画像データのアスペクト比の決定処理を実行するステップであることを特徴とする画像処理方法にある。
【００２０】
さらに、本発明の画像処理方法の一実施態様において、前記アスペクト比決定ステップは、前記記録メディアに記録済みの動画像データファイルのアスペクト比情報に基づいて、前記信号処理部において生成する動画像データのアスペクト比の決定処理を実行することを特徴とする。
【００２１】
さらに、本発明の画像処理方法の一実施態様において、前記アスペクト比決定ステップは、前記記録メディアに記録済みの静止画像データファイルのアスペクト比情報に基づいて、前記信号処理部において生成する動画像データのアスペクト比の決定処理を実行する構成であることを特徴とする。
【００２２】
さらに、本発明の画像処理方法の一実施態様において、前記アスペクト比決定ステップは、前記アスペクト比決定ステップは、前記動画像データファイルまたは静止画像データファイルのアスペクト比がすべて同一のアスペクト比である場合、該アスペクト比を前記信号処理部において生成する動画像データのアスペクト比として決定する処理を実行する構成であることを特徴とする。
【００２３】
さらに、本発明の画像処理方法の一実施態様において、前記アスペクト比決定ステップは、前記動画像データファイルまたは静止画像データファイルのアスペクト比について異なるアスペクト比が混在する場合、予め定めたアスペクト比を前記信号処理部において生成する動画像データのアスペクト比として決定する処理を実行する構成であることを特徴とする。
【００２４】
さらに、本発明の画像処理方法の一実施態様において、前記アスペクト比決定ステップは、前記動画像データファイルまたは静止画像データファイルのアスペクト比について異なるアスペクト比が混在する場合、ファイル数の多いアスペクト比を前記信号処理部において生成する動画像データのアスペクト比として決定する処理を実行する構成であることを特徴とする。
【００２５】
さらに、本発明の画像処理方法の一実施態様において、前記信号処理ステップは、データ変換対象の静止画のアスペクト比と、生成する動画像データのアスペクト比とが異なる場合、静止画の外周部にアスペクト比調整用のデータ領域を設定してアスペクト比変換を行なうことを特徴とする。
【００２６】
さらに、本発明の画像処理方法の一実施態様において、前記信号処理ステップは、前記データ変換処理によってＭＰＥＧ形式の動画像データを生成する処理を実行することを特徴とする。
【００２７】
さらに、本発明の第４の側面は、
画像処理装置において画像処理を実行させるコンピュータ・プログラムであり、
信号処理部におけるデータ変換処理に際して生成する動画像データのアスペクト比を制御部において決定するアスペクト比決定ステップと、
前記制御部において決定したアスペクト比に基づく静止画像データの動画像データへの変換処理を信号処理部において実行する信号処理ステップと、
を記録し、
前記アスペクト比決定ステップは、
前記データ変換処理によって生成される動画像データが記録される記録メディアに記録済みの画像データファイルのアスペクト比情報に基づいて、前記信号処理部において生成する動画像データのアスペクト比の決定処理を実行するステップとして記録されていることを特徴とするコンピュータ・プログラムにある。
【００２８】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２９】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００３０】
本発明の一実施例構成によれば、例えばＤＶＤプレーヤにおいて再生可能な動画データの作成のために、データ変換によって静止画から動画データの作成処理を実行する場合、変換データのアスペクト比を、変換データを記録予定の記録メディアに記録済みの動画像データファイルあるいは静止画データファイルのアスペクト比情報に基づいて自動的に決定する構成としたので、ユーザによる設定情報の入力などが不要となり、効率的なデータ変換が実現される。
【発明を実施するための最良の形態】
【００３１】
以下、図面を参照しながら、本発明の画像処理装置撮像装置、および画像処理方法、並びにコンピュータ・プログラムの詳細について説明する。
【００３２】
まず、本発明の画像処理装置の一例である撮像装置の構成について、図１を参照して説明する。図１に示す撮像装置１００は、書き込み可能なＤＶＤを撮影データの記録媒体として用いたＤＶＤデジタルビデオカメラである。撮像装置１００は、動画像データ、静止画像データを撮影可能な構成を有し、記録メディア（ＤＶＤ）２００に対して、動画像データ、静止画像データを記録する。さらに、記録メディア（ＤＶＤ）２００に記録された静止画像データのデータ変換を実行し、例えばスライドショー形式での動画再生を可能な動画データ（ＭＰＥＧデータ）に変換する処理を実行し、変換データを記録メディア（ＤＶＤ）２００に記録する処理を実行する。
【００３３】
撮像装置１００は、図１に示すように、カメラ部１０１と、ＭＰＥＧエンコーダ１０２と、フォーマット形成部１０３と、ＪＰＥＧエンコーダ１０６と、フォーマット変換部１０７とからなる記録処理部と、記録時および再生時に用いられるバッファメモリ１０４、データ記録再生部１０５とを備えている。
【００３４】
また、この実施の形態のＤＶＤビデオカメラは、図１に示すように、セレクタ１８１、１８４と、ＪＰＥＧデコーダ１８２と、ＭＰＥＧデコーダ１８３とからなり、再生時に用いられるデコード部１０８と、コーデック１９３と、デジタルインターフェース（以下、デジタルＩ／Ｆと略称する。）１９２とを備え、デジタルデータの受け渡しを行うデジタル入出力部１０９とを備えている。
【００３５】
デジタル入出力部１０９は、デジタル入出力端子ＩＯに接続され、このデジタル入出力端子を通じて他の機器との間でデジタルデータの送受を行うことができる。また、デコード部１０８においてデコードされ、Ｄ／Ａ変換された画像情報等の情報は、アナログ出力端子ＯＴを通じて出力され、モニタ受像機などの外部機器に供給することができる。
【００３６】
また、外部機器からのアナログ映像信号やアナログ音声信号は、入力端子ＩＮを通じてＭＰＥＧエンコーダ１０２に入力され、ここでＡ／Ｄ変換されるとともに、ＭＰＥＧ方式のデータにデータ圧縮して、これを記録メディア（ＤＶＤ）２００に記録することができる。
【００３７】
また、この実施の形態の撮像装置１００（ＤＶＤビデオカメラ）には、ＬＣＤ（Ｌｉｑｕｉｄ  Ｃｒｙｓｔａｌ  Ｄｉｓｐｌａｙ）コントローラ１１１、ＬＣＤ１１２が設けられており、カメラ部１０１による取得画像や、記録メディア（ＤＶＤ）２００の記録画像に基づく再生画像をＬＣＤ１１２に表示することができる。
【００３８】
制御部１２０は、上述した各部における処理制御を実行し、ＣＰＵ（Ｃｅｎｔｒａｌ  Ｐｒｏｃｅｓｓｉｎｇ  Ｕｎｉｔ）１２１、ＲＯＭ（Ｒｅａｄ  Ｏｎｌｙ  Ｍｅｍｏｒｙ）１２２、ＲＡＭ（Ｒａｎｄｏｍ  Ａｃｃｅｓｓ  Ｍｅｍｏｒｙ）１２３、不揮発性メモリ１２４が、ＣＰＵバス１２６を通じて接続されて形成されたマイクロコンピュータである。
【００３９】
ＲＯＭ１２１は、制御部１２０のＣＰＵ１２１により実行するようにされる各種のプログラムや処理に必要なデータが記録されたものであり、ＲＡＭ１２２は、処理の途中結果を一時記憶するなど、主に作業領域として用いられるものである。また、不揮発性メモリ１２４は、電源が落とされても記憶情報を保持しておくことができるものであり、種々の設定パラメータや確実に保持しておきたい途中結果などを記憶保持するためのものである。
【００４０】
また、制御部１２０には、種々の操作キーや操作つまみなどを有するキー操作部１２５が接続されている。このキー操作部１２５を通じて、使用者からの種々の指示入力を当該ＤＶＤビデオカメラに対して入力することができるようにしている。そして、キー操作部１２５を通じて受け付けられた使用者からの指示入力に応じた情報は電気信号として制御部１２０に供給される。これにより、制御部１２０は、使用者からの指示に応じて各部を制御し、ＤＶＤビデオカメラが使用者からの指示に応じた動作を行うことができる。
【００４１】
以下、図１に示す撮像装置１００において実行される以下の処理、すなわち、
（１）動画像の記録処理、
（２）静止画像の記録処理、
（３）記録済み静止画像の動画像への変換処理、
（３−１）記録済み静止画像の動画像への変換処理の基本シーケンス
（３−２）静止画像から動画像への変換におけるアスペトク比自動決定処理
これらの各処理について、説明する。
【００４２】
（１）動画像の記録処理
先に説明したように、撮像装置１００は、動画像を撮影し、記録メディアとしてのＤＶＤに記録し、また、静止画像を撮影してＤＶＤに記録することができる。カメラ部１０１は、ＣＣＤ（Ｃｈａｒｇｅ  Ｃｏｕｐｌｅｄ  Ｄｅｖｉｃｅ）を備えるとともに、電子式シャッター機能をも有する。例えば、ユーザは、キー操作部１２５を操作し、カメラ部１０１から入力する動画像を撮影し記録メディア（ＤＶＤ）２００に記録する。
【００４３】
動画像記録処理に際しては、カメラ部１０１からの動画像信号は、ＭＰＥＧエンコーダ１０２に供給され、Ａ／Ｄ変換されてデジタル動画像データとされた後、ＭＰＥＧ方式でデータ圧縮されて、フォーマット形成部１０３に供給される。フォーマット形成部１０３は、制御部１２０の制御に応じて、記録メディア（ＤＶＤ）２００の記録フォーマット（デジタル動画フォーマット）に応じた記録用データを形成し、これをバッファメモリ１０４に供給する。
【００４４】
バッファメモリ１０４は、制御部１２０により、その書き込み／読み出しが制御され、記録時においては、ＤＶＤビデオカメラと記録メディア（ＤＶＤ）２００との間における記録用データについての時間軸補正を行って、全ての記録用データを洩れなく記録メディア（ＤＶＤ）２００に記録することができるようにするために利用される。バッファメモリ１０４は、例えばＦＩＦＯ（Ｆｉｒｓｔ  Ｉｎ  Ｆｉｒｓｔ  Ｏｕｔ）方式で用いられ、動画像の記録時においては、フォーマット形成部１０３からの記録用データを順次にバッファメモリ１０４に書き込み、同時に既にバッファメモリ１０４に記録されている記録用データを読み出して、データ記録再生部１０５に供給する。
【００４５】
データ記録再生部１０５は、図示しないが、光ピックアップ、２軸アクチュエータ、スレッドモータなどを備え、制御部１２０の制御により、記録メディア（ＤＶＤ）２００の所定の位置に記録用データを記録する。このようにして、撮像装置１００は、カメラ部１０１を介して撮影した動画像をデジタルデータとして記録メディア（ＤＶＤ）２００に記録する。
【００４６】
（２）静止画像の記録処理
次に、撮像装置１００における静止画像の記録処理について説明する。ユーザは、キー操作部１２５のシャッターキーを操作することにより、カメラ部１０１の電子式シャッターを動作させて、カメラ部１０１の取得画像を静止画像として撮影し、これを記録メディア（ＤＶＤ）２００に記録する。
【００４７】
静止画像記録において、カメラ部１０１からの静止画像信号は、ＪＰＥＧエンコーダ１０６に供給され、ここでＡ／Ｄ変換されてデジタル静止画像データとされた後、ＪＰＥＧ方式でデータ圧縮され、ＪＰＥＧフォーマット（デジタル静止画フォーマット）の記録用データが形成される。ＪＰＥＧエンコーダ１０６からの記録用データは、バッファメモリ１０４を通じてデータ記録再生部１０５に供給され、このデータ記録再生部１０５を通じて、記録メディア（ＤＶＤ）２００に静止画像データが記録される。      
【００４８】
このように、撮像装置１００は、デジタル動画フォーマットの動画像データと、デジタル静止画フォーマットの静止画像データとを、撮影の都度、記録媒体である記録メディア（ＤＶＤ）２００上の適宜の位置に記録することによって、動画像データと静止画像データとを記録メディア（ＤＶＤ）２００において混在して記録する。
【００４９】
（３）記録済み静止画像の動画像への変換処理、
（３−１）記録済み静止画像の動画像への変換処理の基本シーケンス
まず、記録済み静止画像の動画像への変換処理の基本シーケンスについて説明する。撮像装置１００は、ユーザからの指示に応じたタイミングで、あるいは、記録に用いられた記録メディア（ＤＶＤ）２００が取り出されるタイミングなど、処理の必要があると制御部１２０が判断したタイミングで、記録に用いられた記録メディア（ＤＶＤ）２００にデジタル静止画フォーマットで記録されている静止画像データを読み出し、これをデジタル動画フォーマットのデータに変換し、記録メディア（ＤＶＤ）２００に追加記録する処理を行う。
【００５０】
制御部１２０は、記録メディア（ＤＶＤ）２００にデジタル静止画フォーマットで記録されている静止画像データをデータ記録再生部１０５を通じて読み出し、これをバッファメモリ１０４を介してフォーマット変換部１０７に供給する。フォーマット変換部１０７は、データ記録再生部１０５を通じて記録メディア（ＤＶＤ）２００から読み出されたデジタル静止画フォーマットの静止画像データ（ＪＥＰＧ方式でデータ圧縮されている静止画像データ）をＭＰＥＧ方式のＩピクチャの形式のデータに変換する。すなわち、フォーマット変換部７は、ＪＰＥＧ方式のデコーダによらなければデコードできない静止画像データを、ＭＰＥＧ方式のデコーダによってデコード可能なデータに変換する、いわゆる、ＪＰＥＧフォーマット−Ｉピクチャ変換部である。
【００５１】
フォーマット変換部１０７において、ＭＰＥＧ方式のＩピクチャの形式のデータに変換された静止画像データは、フォーマット形成部１０３に供給される。フォーマット形成部１０３は、予め決められた所定のデジタル動画フォーマット、例えばＤＶＤビデオフォーマット、あるいは、ＤＶＤビデオレコーディングフォーマットの記録用データを形成する。
【００５２】
フォーマット形成部１０３は、フォーマット変換部１０７からＭＰＥＧ方式のＩピクチャの形式とされた静止画像データが供給されると、このＭＰＥＧ方式のＩピクチャの形式とされた全ての静止画像データを１まとまりのデータ（１チャプタ分のデータ）とし、所定のデジタル動画フォーマットの記録用データを形成する。このようにして形成された記録用データは、バッファ１０４、データ記録再生部１０５を通じて記録メディア（ＤＶＤ）２００に記録される。
【００５３】
このように、撮像装置１００は、動画像データはＭＰＥＧ方式でデータ圧縮して所定のデジタル動画フォーマットにしたがって記録し、静止画像データはＪＰＥＧフォーマットなどの所定のデジタル静止画フォーマットにしたがって記録し、さらに、デジタル静止画フォーマット記録した静止画像データについては、ＭＰＥＧ方式のＩピクチャ形式のデータに変換し、これを先に記録されているＭＰＥＧ方式でデータ圧縮され、所定のデジタル動画フォーマットで記録されている動画像データに追加するようにして記録可能とした構成を持つ。
【００５４】
従って、ＭＰＥＧ方式のデコーダを備えたＤＶＤプレーヤ等の再生機器において、記録メディア（ＤＶＤ）２００にデジタル動画フォーマットで記録された動画像と静止画像との両方を再生して利用することができる。
【００５５】
（３−２）静止画像から動画像への変換におけるアスペトク比自動決定処理
次に、本発明の撮像装置等の画像処理装置において実行される静止画像から動画像への変換におけるアスペトク比自動決定処理について説明する。本発明の画像処理装置では、静止画像データの動画フォーマットへのデータ変換処理に際して、生成する動画像のアスペトク比を自動決定する処理を実行する。
【００５６】
具体的には、データ変換処理によって生成される動画像データの記録予定の記録メディアに記録済みのデータファイルのアスペクト比情報に基づいて、変換処理によって生成する動画像データのアスペクト比の決定処理を実行する。
【００５７】
前述したように、図１に示す撮像装置１００は、ユーザからの指示に応じたタイミングで、あるいは、記録に用いられた記録メディア（ＤＶＤ）２００が取り出されるタイミングなど、処理の必要があると制御部１２０が判断したタイミングで、記録に用いられた記録メディア（ＤＶＤ）２００にデジタル静止画フォーマットで記録されている静止画像データを読み出し、これをデジタル動画フォーマットのデータに変換し、記録メディア（ＤＶＤ）２００に追加記録する処理を行う。
【００５８】
図２は、図１に示す撮像装置１００の全体構成から、データ変換処理を実行する際に適用される処理部を抜き出して示したブロック図である。データ変換処理の処理制御を実行する制御部１２０には、処理を実行するＣＰＵ１２１、処理プログラムを格納したＲＯＭ１２２、処理に必要なデータ、パラメータの格納領域などのワークエリアとして適用されるＲＡＭ１２３を示している。
【００５９】
信号処理部３００は、記録メディア（ＤＶＤ）２００から読み出されたデジタル静止画フォーマットの静止画像データ（ＪＥＰＧ方式でデータ圧縮されている静止画像データ）をＭＰＥＧ方式のＩピクチャの形式のデータに変換するフォーマット変換部１０７と、予め決められた所定のデジタル動画フォーマット、例えばＤＶＤビデオフォーマット、あるいは、ＤＶＤビデオレコーディングフォーマットの記録用データを形成するフォーマット形成部１０３を有する。
【００６０】
その他バッファ１０４、データ記録再生部１０５、記録メディア（ＤＶＤ）２００、キー操作部１２５を示している。
【００６１】
例えば、記録メディア（ＤＶＤ）２００が撮像装置１００に装着された状態で、キー操作部１２５を介して、ユーザからのデータ変換指示が入力されると、制御部１２０は、データ記録再生部１０５を介して、メディア上に記録されたデータファイル、すなわち動画像データファイルおよび静止画データファイルの属性情報を読み取る。すなわち、動画タイトルの情報や静止画データの情報の読み込みを実行し、読み込み情報を制御部内のメモリ（ＲＡＭ１２３）に格納する。
【００６２】
さらに、制御部１２０は、メモリ（ＲＡＭ１２３）に格納された各データファイルの属性情報に基づいて、各記録データファィル各々のアスペクト比情報を抽出する。動画タイトル毎のアスペクト情報や静止画データのアスペクト情報を算出するために使われる画サイズ情報各データファイルの属性情報に含まれる。
【００６３】
例えば、静止画データのアスペクト情報は、ＪＰＥＧデータに含まれる画サイズデータ（メイン画像の垂直サイズ、水平サイズ）から算出される。また、動画データについては、記録メディアがＤＶＤである場合、ＤＶＤビデオフォーマットにおいて設定されるＶＴＳＩ（Ｖｉｄｅｏ  Ｔｉｔｌｅ  Ｓｅｔ  Ｉｎｆｏｒｍａｔｉｏｎ）の中のＶＴＳ＿Ｖ＿ＡＴＲの中にアスペクト比情報が記録されている。制御部１２０は、記録メディア（ＤＶＤ）２００に記録済みのデータファイルの各々についてのアスペクト比を抽出する。
【００６４】
制御部１２０は、さらに、データ変換、すなわちＪＰＥＧ形式の静止画からＭＰＥＧ形式の動画への変換処理を実行する。まず、データ記録再生１０５を制御し、記録メディア２００上の静止画データを１枚分読み込み、バッファ１０４を介して信号処理部３００のフォーマット変換部１０７に入力する。
【００６５】
信号処理部３００のフォーマット変換部１０７では、入力されたＪＰＥＧ形式のデータをＭＰＥＧ形式の動画データに変換する。この変換処理の際、制御部１２０は、メモリ（ＲＡＭ１２３）に格納済みの記録メディア上の各データファイルのアスペクト比情報に基づいて、変換する動画データのアスペクト比を決定し、決定アスペクト比情報をフォーマット変換部１０７に入力する。フォーマット変換部１０７は、制御部１２０から入力されるアスペクト比情報に従って、アスペクト比を設定してデータ変換を実行して動画データファイルを生成する。
【００６６】
制御部１２０は、記録メディア上の各データファイルのアスペクト比情報に基づいて、変換する動画データのアスペクト比を決定する。具体的には、例えば、図３または図４に示す対応に従って、変換する動画データのアスペクト比を決定する。
【００６７】
図３は、記録メディア（ＤＶＤ２００）に記録済みの動画データファイルのアスペクト比情報に基づいて、変換データのアスペクト比を決定する設定であり、図４は、記録メディア（ＤＶＤ２００）に記録済みの静止画データファイルのアスペクト比情報に基づいて、変換データのアスペクト比を決定する設定である。画像処理装置は、これらのいずれかの設定に基づいて、変換データのアスペクト比を決定する。
【００６８】
例えば、図３に示す設定を適用する場合は、以下の態様で変換データのアスペクト比を決定する。
（ａ）記録メディアに記録済みの動画データファイルのアスペクト比が、全て４：３である場合、
この場合は、変換データのアスペクト比を４：３とする。
（ｂ）記録メディアに記録済みの動画データファイルのアスペクト比が、全て１６：９である場合、
この場合は、変換データのアスペクト比を１６：９とする。
（ｃ）記録メディアに記録済みの動画データファイルのアスペクト比が、４：３と１６：９のものが混在する場合、
この場合は、変換データのアスペクト比を４：３、または１６：９いずれか一方の設定とする。なお、この場合は、アスペクト比が４：３の動画ファイル数と、アスペクト比が１６：９の動画ファイル数とを比較し、ファイル数の多いアスペクト比を変換データのアスペクト比として設定する構成としてもよい。
【００６９】
このように、すでに記録メディアに記録済みの動画像データファイルのアスペクト比情報に基づいて、自動的にデータ変換によって動画データを作成する場合のアスペクト比を決定することで、ユーザによる設定情報の入力などが不要となり、効率的なデータ変換が実現される。
【００７０】
図４は、記録メディア（ＤＶＤ２００）に記録済みの静止画データファイルのアスペクト比情報に基づいて、変換データのアスペクト比を決定する設定である。
【００７１】
例えば、図４に示す設定を適用する場合は、以下の態様で変換データのアスペクト比を決定する。
（ａ）記録メディアに記録済みの静止画データファイルのアスペクト比が、全て４：３である場合、
この場合は、変換データのアスペクト比を４：３とする。
（ｂ）記録メディアに記録済みの静止画データファイルのアスペクト比が、全て１６：９である場合、
この場合は、変換データのアスペクト比を１６：９とする。
（ｃ１）記録メディアに記録済みの静止画データファイルのアスペクト比が、４：３と１６：９のものが混在する場合、
（ｃ２）記録メディアに記録済みの静止画データファイルのアスペクト比が、４：３と１６：９以外のものが混在する場合、
これらの場合は、変換データのアスペクト比を４：３、または１６：９いずれか一方の設定とする。なお、この場合は、前述した動画ファイル対応の処理と同様アスペクト比が４：３の静止画ファイル数と、アスペクト比が１６：９の静止画ファイル数とを比較し、ファイル数の多いアスペクト比を変換データのアスペクト比として設定する構成としてもよい。
【００７２】
なお、図２に示す信号処理部３００のフォーマット変換部１０７では、制御部１２０の決定したアスペクト比に基づいて、入力されたＪＰＥＧ形式のデータをＭＰＥＧ形式の動画データに変換する。この変換処理の際、例えば入力静止画のアスペクト比と決定された変換データのアスペクト比とが同一であれば、問題ないが、これらのアスペクト比が異なる場合、すなわち、入力静止画のアスペクト比が４：３で、決定された変換データのアスペクト比が１６：９の場合、あるいは、入力静止画のアスペクト比が１６：９で、決定された変換データのアスペクト比が４：３である場合は、フォーマット変換部１０７では、異なるアスペクト比に変換するための処理を行なう。
【００７３】
図５を参照して、異なるアスペクト比のデータに変換するための処理例について説明する。図５（ａ）は、入力静止画のアスペクト比が４：３で、決定された変換データのアスペクト比が１６：９の場合の処理例を示す。この場合、信号処理部３００のフォーマット変換部１０７は、図５（ａ１）に示すようなアスペクト比が４：３の入力静止画に対して、図５（ａ２）に示すように、左右に矩形領域を追加する処理を実行して、全体画像を１６：９のアスペクト比に変換する処理を行なう。
【００７４】
図５（ｂ）は、入力静止画のアスペクト比が１６：９で、決定された変換データのアスペクト比が４：３の場合の処理例を示す。この場合、信号処理部３００のフォーマット変換部１０７は、図５（ｂ１）に示すようなアスペクト比が１６：９の入力静止画に対して、図５（ｂ２）に示すように、上下に矩形領域を追加する処理を実行して、全体画像を４：３のアスペクト比に変換する処理を行なう。
【００７５】
信号処理部３００のフォーマット変換部１０７は、データ変換対象の静止画のアスペクト比と、生成する動画像データのアスペクト比とが異なる場合、図５に示すように、静止画の外周部にアスペクト比調整用のデータ領域を設定してアスペクト比変換を行なう。このように、フォーマット変換部１０７は、制御部１２０が記録済みの画像データファイルのアスペクト比情報に基づいて決定したアスペクト比に従って、静止画をＭＰＥＧ方式の動画像へ変換する処理を実行する。なお、外周部にデータ領域を付加することなく、画像データ自体の拡張や縮小によってデータ変換を行ってアスペクト比を変更する処理を実行する構成としてもよい。
【００７６】
フォーマット変換部１０７において、ＭＰＥＧ方式データに変換されたデータは、フォーマット形成部１０３に供給され、フォーマット形成部１０３において、予め決められた所定のデジタル動画フォーマット、例えばＤＶＤビデオフォーマット、あるいは、ＤＶＤビデオレコーディングフォーマットの記録用データを形成する。このようにして形成された記録用データは、バッファ１０４、データ記録再生部１０５を通じて記録メディア（ＤＶＤ）２００に記録される。
【００７７】
図６に示すフローチャートを参照して、本発明の画像処理装置において実行される静止画データの動画データへの変換記録処理シーケンスについて説明する。まず、ステップＳ１０１において、記録メディアに対して記録済みデータの属性情報を取得し、属性情報に含まれるアスペクト比情報を抽出する。
【００７８】
次に、ステップＳ１０２において、取得した記録済みデータファイルのアスペクト比情報に基づいて、変換データのアスペクト比を決定する。これは、先に図３、図４を参照して説明した設定情報に基づいて決定する。なお、どの設定でアスペクト比の決定を実行するかは予め決められた構成としてもよいし、ユーザによって、適宜、設定を変更することが可能な構成としてもよい。
【００７９】
次に、ステップＳ１０３において、決定されたアスペクト比に基づいて、静止画の動画ヘの変換処理が実行される。これは、図３に示す信号処理部３００のフォーマット変換部１０７、フォーマット形成部１０３の処理として実行される。最後に、ステップＳ１０４において、動画データへの変換のなされたデータが記録メディアに記録されて処理が終了する。
【００８０】
このように、本発明の構成では、データ変換によって静止画から動画データを作成する場合のアスペクト比を、すでに記録メディアに記録済みの動画像データファイルあるいは静止画データファイルのアスペクト比情報に基づいて決定する構成としたので、ユーザによる設定情報の入力などが不要となり、効率的なデータ変換が実現される。
【００８１】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８２】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８３】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８４】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８６】
以上、説明したように、本発明の一実施例構成によれば、例えばＤＶＤプレーヤにおいて再生可能な動画データの作成のために、データ変換によって静止画から動画データの作成処理を実行する場合、変換データのアスペクト比を、変換データを記録予定の記録メディアに記録済みの動画像データファイルあるいは静止画データファイルのアスペクト比情報に基づいて自動的に決定する構成としたので、ユーザによる設定情報の入力などが不要となり、効率的なデータ変換が実現される。
【図面の簡単な説明】
【００８７】
【図１】本発明の一実施例の画像処理装置としての撮像装置のハードウェア構成について説明する図である。
【図２】本発明の一実施例の画像処理装置において、本発明に関連する処理を実行する主要構成部を抽出して示したブロック図である。
【図３】本発明の一実施例の画像処理装置において実行するアスペクト比決定処理の設定例について説明する図である。
【図４】本発明の一実施例の画像処理装置において実行するアスペクト比決定処理の設定例について説明する図である。
【図５】本発明の一実施例の画像処理装置において実行するアスペクト比変更処理例について説明する図である。
【図６】本発明の一実施例の画像処理装置における処理シーケンスを説明するフローチャートを示す図である。
【符号の説明】
【００８８】
１００  撮像装置
１０１  カメラ部
１０２  ＭＰＥＧエンコーダ
１０３  フォーマット形成部
１０４  バッファ
１０５  データ記録再生部
１０６  ＪＰＥＧエンコーダ
１０７  フォーマット変換部
１０８  デコード部
１０９  デジタル入出力部
１１１  ＬＣＤコントローラ
１１２  ＬＣＤ
１２０  制御部
１２１  ＣＰＵ
１２２  ＲＯＭ
１２３  ＲＡＭ
１２４  不揮発性メモリ
１２５  キー操作部
１２６  バス
１８１  セレクタ
１８２  ＪＰＥＧデコーダ
１８３  ＭＰＥＧデコーダ
１８４  セレクタ
１９２  デジタルＩ／Ｆ
１９３  コーデック
２００  記録メディア
３００  信号処理部
【図１】
2007110223.tif 000003
【図２】
2007110223.tif 000004
【図３】
2007110223.tif 000005
【図４】
2007110223.tif 000006
【図５】
2007110223.tif 000007
【図６】
2007110223.tif 000008